(57)【要約】  【課題】  オンスクリーン表示する文字幅が行ごとに一定でない場合に、表示行の文字領域の長さ（ドット数）に合わせて空白文字を追加設定しなくても行末を任意の位置に揃えられるオンスクリーンディスプレイ装置を提供することを目的とする。  【解決手段】  行背景開始水平位置記憶回路１２９と、行背景終了水平位置記憶回路１３２と、行背景開始水平位置一致検出回路１３３と、行背景終了水平位置一致検出回路１３５と、行背景範囲信号発生回路１３７と、カラーテーブル１２７とを備え、行背景の表示開始水平位置と、行背景の表示終了水平位置と、行背景色とを設定し、画面上に表示する文字の背景に行背景枠を表示する。  【選択図】  図１
2005121894.tif 000002
【特許請求の範囲】
【請求項１】
垂直同期信号、水平同期信号、及び表示ドットクロックに基づいて、画面上の表示位置を示す表示位置情報を出力する表示位置出力手段と、
画面上に表示する文字の表示コードと、該表示コードが示す文字にそれぞれ対応して設定された文字幅コードとを、画面上の表示位置に対応したアドレスごとに記憶する表示コード記憶手段と、
前記表示位置情報と、画面上に表示する文字を切り替えるタイミングを示す文字切替信号とに基づいて、前記表示コード記憶手段のアドレスを発生する表示コードアドレス発生手段と、
フォントデータを記憶するフォントデータ記憶手段と、
前記表示コードアドレス発生手段が発生したアドレスに対応する表示コードを前記表示コード記憶手段から受け取り、前記表示コード、及び前記表示位置情報に基づいて前記フォントデータ記憶手段のアドレスを発生するフォントデータアドレス発生手段と、
前記表示コードアドレス発生手段が発生したアドレスに対応する文字幅コードを前記表示コード記憶手段から受け取り、前記文字幅情報コードと前記表示ドットクロックとに基づいて前記文字切替信号を生成する文字切替信号生成手段と、
文字を表示する行の背景枠である行背景の表示開始水平位置を示す行背景開始水平位置情報、及び前記行背景の表示終了水平位置を示す行背景終了水平位置情報を記憶する行背景水平位置記憶手段と、
前記行背景水平位置記憶手段から受け取った行背景開始水平位置情報及び行背景終了水平位置情報と、前記表示位置出力手段から受け取った表示位置情報とから、行背景を表示する範囲を示す行背景範囲信号を発生する行背景範囲信号発生手段と、
前記フォントデータアドレス発生手段が発生したアドレスに対応するフォントデータ、または、前記行背景範囲信号発生手段が発生した行背景範囲信号に対応して、予め設定された文字色の色信号、または、予め設定された行背景色の色信号を映像信号に重畳して出力するオンスクリーンディスプレイ出力手段と、
を備えたことを特徴とするオンスクリーンディスプレイ装置。
【請求項２】
垂直同期信号、水平同期信号、及び表示ドットクロックに基づいて、画面上の表示位置を示す表示位置情報を出力する表示位置出力手段と、
画面上に表示する文字の表示コードと、該表示コードが示す文字にそれぞれ対応して設定された文字幅コードとを、画面上の表示位置に対応したアドレスごとに記憶するとともに、文字を表示する行の行背景の表示開始水平位置を示す行背景開始水平位置コード及び前記行背景の表示終了水平位置を示す行背景終了水平位置コードを表示行ごとに記憶する表示コード記憶手段と、
前記表示位置情報と、画面上に表示する文字を切り替えるタイミングを示す文字切替信号とに基づいて、前記表示コード記憶手段のアドレスを発生する表示コードアドレス発生手段と、
フォントデータを記憶するフォントデータ記憶手段と、
前記表示コードアドレス発生手段が発生したアドレスに対応する表示コードを前記表示コード記憶手段から受け取り、該表示コード、及び前記表示位置情報に基づいて前記フォントデータ記憶手段のアドレスを発生するフォントデータアドレス発生手段と、
前記表示コードアドレス発生手段が発生したアドレスに対応する文字幅コードを前記表示コード記憶手段から受け取り、前記文字幅コードと前記表示ドットクロックとに基づいて前記文字切替信号を生成する文字切替信号生成手段と、
前記表示コード記憶手段から受け取った行背景開始水平位置コード及び行背景終了水平位置コードと、前記表示位置出力手段から受け取った表示位置情報とから、行背景を表示する範囲を示す行背景範囲信号を発生する行背景範囲信号発生手段と、
前記フォントデータアドレス発生手段が発生したアドレスに対応するフォントデータ、または、前記行背景範囲信号発生手段が発生した行背景範囲信号に対応して、予め設定された文字色の色信号、または、予め設定された行背景色の色信号を、映像信号に重畳して出力するオンスクリーンディスプレイ出力手段と、
を備えたことを特徴とするオンスクリーンディスプレイ装置。
【請求項３】
請求項２に記載のオンスクリーンディスプレイ装置において、
前記表示コード記憶手段は、さらに、前記行背景の色を示す行背景色コードを表示行ごとに記憶し、
前記オンスクリーンディスプレイ出力手段は、前記フォントデータアドレス発生手段が発生したアドレスに対応するフォントデータ、または、前記行背景範囲信号発生手段が発生した行背景範囲信号に対応して、予め設定された文字色の色信号、または、前記表示コード記憶手段から受け取った行背景色コードが示す行背景色の色信号を、映像信号に重畳して出力することを特徴とするオンスクリーンディスプレイ装置。
【請求項４】
請求項２に記載のオンスクリーンディスプレイ装置において、
前記表示コード記憶手段は、前記行背景開始水平位置コード、前記行背景終了水平位置コード及び前記行背景色コードを表示行ごとに２組以上記憶し、
前記行背景範囲信号発生手段は、前記行背景水平位置記憶手段から受け取った２組以上の前記行背景開始水平位置コード及び前記行背景終了水平位置コードと、前記表示位置出力手段から受け取った表示位置情報とから、行背景を表示する範囲を示す２つ以上の行背景範囲信号を発生し、
前記オンスクリーンディスプレイ出力手段は、前記フォントデータアドレス発生手段が発生したアドレスに対応するフォントデータ、または、前記行背景範囲信号発生手段が発生した２つ以上の行背景範囲信号に対応して、予め設定された文字色の色信号、または、前記表示コード記憶手段から受け取った２つ以上の行背景色コードのうちのいずれかが示す行背景色の色信号を、映像信号に重畳して出力することを特徴とするオンスクリーンディスプレイ装置。
【請求項５】
請求項２に記載のオンスクリーンディスプレイ装置において、
前記表示コード記憶手段は、さらに、前記行背景の周囲４辺のうちの、いずれの辺に影を付けるかを示す第１の行背景影指定コードを表示行ごとに記憶し、
前記表示位置出力手段から受け取った表示位置情報と、前記行背景範囲信号発生手段から受け取った行背景範囲信号と、前記表示コード記憶手段から受け取った行背景色情報及び第１の行背景影指定コードとに基づいて、行背景色を指定する行背景色指定信号、または、行背景の周囲４辺の色を行背景影色として指定する行背景影色指定信号を発生する行背景影色指定信号発生手段を備え、
前記オンスクリーンディスプレイ出力手段は、前記フォントデータアドレス発生手段が発生したアドレスに対応するフォントデータ、または、前記行背景範囲信号発生手段が発生した行背景範囲信号に対応して、予め設定された文字色の色信号、前記行背景色指定信号が指定する行背景色の色信号、または、前記行背景影色指定信号が指定する行背景影色の色信号を、映像信号に重畳して出力することを特徴とするオンスクリーンディスプレイ装置。
【請求項６】
請求項５に記載のオンスクリーンディスプレイ装置において、
前記表示コード記憶手段は、さらに、単数行からなる行背景に影を付けるか、複数行からなる行背景に影を付けるかを示す第２の行背景影指定コードを記憶し、
前記行背景影色指定信号発生手段は、前記表示位置出力手段から受け取った表示位置情報と、前記行背景範囲信号発生手段から受け取った行背景範囲信号と、前記表示コード記憶手段から受け取った行背景色コード、第１の行背景影指定コード及び第２の行背景影指定コードとに基づいて、行背景色を指定する行背景色指定信号、または、単数行からなる行背景の周囲４辺の色もしくは複数行からなる行背景の周囲４辺の色を行背景影色として指定する行背景影色指定信号を発生することを特徴とするオンスクリーンディスプレイ装置。
【発明の詳細な説明】
【技術分野】
【０００１】
本発明は、画面上に文字等のキャラクタを表示するオンスクリーンディスプレイ装置に関するものである。
【背景技術】
【０００２】
従来、テレビジョンなどのモニタ画面上に文字等のキャラクタを表示するオンスクリーンディスプレイ装置が提案されてきた（例えば、特許文献１参照）。以下、従来の一般的なオンスクリーンディスプレイ装置について図７を用いて説明する。図７は、従来のオンスクリーンディスプレイ装置の構成を示すブロック図である。
【０００３】
図７において、表示位置出力回路７０１は、垂直同期信号（ＶＳＹＮＣ）７０２と、水平同期信号（ＨＳＹＮＣ）７０３と、表示ドットクロック（ＣＬＯＣＫ）７０４とに基づいて、モニタ画面上の水平位置と垂直位置とを計数し、画面上の表示位置を示す水平表示位置情報７０５と、垂直表示位置情報７０６とを出力する。
【０００４】
表示コードメモリアドレス発生回路７０７は、水平表示位置情報７０５と、垂直表示位置情報７０６と、文字幅一致検出回路７２１が出力する文字切替信号７２２と、水平表示位置一致検出回路７２３が出力する水平表示開始位置信号７２４とに基づいて、表示コードメモリ７０９のアドレス７０８を発生する。
【０００５】
表示コードメモリ７０９には、あらかじめ画面上に表示する文字等の表示コードが画面上の表示位置に対応したアドレスごとに格納されており、表示コードメモリアドレス発生回路７０７が出力するアドレス７０８に対応した表示文字コード７１０、表示文字幅コード７１１、及び水平表示開始位置コード７１２を出力する。
【０００６】
フォントデータメモリアドレス発生回路７１３は、表示コードメモリ７０９が出力する表示コード７１０と、表示位置出力回路７０１が出力する垂直表示位置情報７０６とに基づいて、フォントデータメモリ７１５のアドレス７１４を発生する。
【０００７】
フォントデータメモリ７１５は、フォントデータを記憶しており、フォントデータメモリアドレス発生回路７１３が出力するアドレス７１４に対応したフォントデータ７１６を出力する。
【０００８】
文字幅カウンタ７１７は、表示ドットクロック７０４を計数するバイナリカウンタであり、表示ドットクロック７０４のカウント結果である文字幅カウント値７１８を出力する。このバイナリカウンタは、カウント結果を、水平表示位置一致検出回路７２３が出力する水平表示開始位置信号７２４、または、文字幅一致検出回路７２１が出力する文字切替信号７２２によりリセットする。
【０００９】
文字幅コード変換回路７１９は、表示コードメモリ７０９が出力する表示文字幅コード７１１に対応した文字幅データ７２０を出力する。
文字幅一致検出回路７２１は、文字幅カウンタ７１７が出力する文字幅カウント値７１８と、文字幅コード変換回路７１９が出力する文字幅データ７２０とを比較し、一致したときに文字切替信号７２２を出力する。
【００１０】
水平表示位置一致検出回路７２３は、表示位置出力回路７０１が出力する水平表示位置情報７０５と、表示コードメモリ７０９が出力する水平表示開始位置コード７１２とを比較し、一致したときに水平表示開始位置信号７２４を出力していた。
【００１１】
オンスクリーンディスプレイ出力部７２９は、フォントデータメモリ７１５からのフォントデータに対応したＲＧＢ信号７２８を映像信号に重畳して出力する。
【００１２】
以下、オンスクリーンディスプレイ出力部７２９について詳細に説明する。オンスクリーンディスプレイ出力部７２９内のシリアル変換回路７２５は、シフトレジスタであり、文字切替信号７２２を入力したときにフォントデータ７１６を読み込み、表示ドットクロック７０４の周期でその読み込んだデータをシリアルデータ７２６として出力する。このシリアルデータ７２６は、フォントの文字領域であるときにはハイレベルとなり、それ以外の領域（フォントの背景の領域）であるときにはローレベルとなるデータである。
【００１３】
オンスクリーンディスプレイ出力部７２９内のカラーテーブル７２７は、シリアルデータ７２６を入力とし、シリアルデータ７２６がハイレベルのときにはあらかじめ設定された文字色のＲＧＢ信号７２８を出力し、入力がローレベルのときにはあらかじめ設定された背景色のＲＧＢ信号７２８を出力する。なお、背景色を透明色とすることで、背景となるテレビジョンの映像などの上に所定の文字などをオンスクリーン表示にすることができる。
【００１４】
以上のように構成されるオンスクリーンディスプレイ装置の動作について説明する。
まず、表示位置出力回路７０１による水平表示位置情報７０５と垂直表示位置情報７０６との出力について説明する。表示位置出力回路７０１は、垂直同期信号７０２と、水平同期信号７０３と、表示ドットクロック７０４とを入力して、画面上のオンスクリーン表示のドット位置を示す水平表示位置情報７０５と垂直表示位置情報７０６とを出力する。水平表示位置情報７０５と垂直表示位置情報７０６とは、例えば、画面の左上を基準として、右にｍドット、下にｎドット（ｍ、ｎは１以上の整数）というように表される。この場合ｍが水平表示位置情報７０５、ｎが垂直表示位置情報７０６となる。水平方向の位置を示すｍは、表示ドットクロック７０４がカウントされるごとに１ずつインクリメントされ、水平同期信号７０３が検出されるたびにリセットされて１に戻る。垂直方向の位置を示すｎは水平同期信号７０３が検出されることにより、水平方向の１ライン分、表示位置が下がったことを示す。このため、例えば３ラインがオンスクリーン表示の１ドットに対応している場合、上下方向の位置を示すｎは、水平同期信号７０３を３回検出するたびに、１ずつインクリメントされることとなる。また、垂直同期信号７０２が検出されるたびに、表示ドット位置は画面の上端に戻るため、ｎは１に戻される。
【００１５】
次に、文字幅一致検出回路７２１による文字切替信号７２２の出力について説明する。文字幅一致検出回路７２１は、文字幅カウンタ７１７が出力する文字幅カウント値７１８と、文字幅コード変換回路７１９が出力する文字幅データ７２０とを入力し、文字切替信号７２２を出力する。
文字幅カウンタ７１７は、表示ドットクロック７０４をカウントし、文字幅カウント値７１８を文字幅一致検出回路７２１に出力する。
【００１６】
文字幅コード変換回路７１９は、表示コードメモリ７０９に設定されている各表示文字ごとの表示文字幅コード７１１を、対応する文字幅ドット数に変換し、文字幅データ７２０として出力する。例えば、文字幅ドット数の種類として、４ドット、８ドット、１２ドット、１６ドットを選択する場合、表示文字幅コード７１１として２進数の００、０１、１０、１１の４つのコードを用いて、それぞれのコードに対応した文字幅ドット数４、８、１２、１６を文字幅データ７２０として文字幅一致検出回路７２１に出力する。
【００１７】
文字幅一致検出回路７２１は、文字幅データ７２０の値と、文字幅カウント値７１８とが一致したときに文字切替信号７２２を出力する。ここで、文字幅カウンタ７１７は、カウント値を文字切替信号７２２でリセットすることから、文字幅一致検出回路７２１が出力する文字切替信号７２２は、文字幅データ７２０で示されるドット数ごとに出力されることになる。
【００１８】
次に、水平表示位置一致検出回路７２３による水平表示開始位置信号７２４の出力について説明する。水平表示位置一致検出回路７２３は、表示コードメモリ７０９が出力する水平表示開始位置コード７１２と、表示位置出力回路７０１が出力する水平表示位置情報７０５とを入力し、水平表示開始位置信号７２４を出力する。
【００１９】
表示コードメモリ７０９は、格納している表示コードのうち、各表示行ごとに１コード含まれている水平表示位置コードを、水平表示期間内保持して水平表示開始位置コード７１２として出力する。
水平表示位置一致検出回路７２３は、水平表示位置情報７０５と、水平表示開始位置コード７１２とが一致したときに水平表示開始位置信号７２４を出力する。
【００２０】
次に、表示コードアドレスの発生からＲＧＢ信号の出力までの動作について説明する。まず、表示コードメモリアドレス発生回路７０７が、水平表示位置情報７０５により、水平方向の表示ドット位置が左端に戻ったこと、すなわち、ｍ＝１となったことを検知したとき、アドレス７０８をそのときにオンスクリーン表示されている文字行の最初のアドレスに戻す。文字行の最初のアドレスにはその行の水平表示開始位置コードが格納されており、このコードを水平表示期間内保持して水平表示開始位置コード７１２として出力する。その後、文字切替信号７２２が入力されると、アドレス７０８を１つインクリメントする。これにより、表示される文字が１つ分切り替えられることとなる。例えば、「ＡＷＢ０１２」という文字を１行で表示している場合、表示コードアドレス発生回路７０７は、出力するアドレス７０８を、ｍ＝１となったときに、水平表示開始位置コード７１２に対応するアドレスに戻し、その後、文字切替信号７２２が入力されると、一番左の「Ａ」に対応するアドレスにインクリメントする。なお、ｍ＝１となったときに、垂直表示位置情報７０６が次の行の文字列を示す値になっていた場合、出力するアドレス７０８を、その行の一番左のコードに対応するアドレスとする。例えば、１つの文字の高さが１８ドットであり、行間を２ドットとするときに、ｎ−２１となった場合、表示コードメモリアドレス発生回路７０７は、オンスクリーン表示する文字が、次の行になったと判断する。
【００２１】
次に、表示コードメモリ７０９が、アドレス７０８に対応した表示コード７１０を、フォントデータメモリアドレス発生回路７１３に出力する。また、アドレス７０８に対応した表示文字幅コード７１１を、文字幅コード変換回路７１９に出力する。アドレス７０８に対応するコードが水平表示位置開始コードである場合には、水平表示開始位置コード７１２として、水平表示位置一致検出回路７２３に出力する。ここで、水平表示開始位置コードを識別するために、表示コードメモリ７０９に格納されている各コードには、コードの種類を示すビットが付加されており、このビットにより水平表示開始位置コードと認識されたときに水平表示開始位置コード７１２として出力される。
【００２２】
フォントデータメモリアドレス発生回路７１３は、表示文字コード７１０が示す文字で、垂直表示位置情報７０６が示す、その文字の上から所定のドット目のライン位置に対応するフォントデータのアドレス７１４をフォントデータメモリ７１５に出力する。例えば、表示文字コード７１０が示す文字が「Ａ」であり、垂直表示位置情報７０６が示す表示ドット位置が、その「Ａ」の上から３ドット目であるときには、その「Ａ」の上から３ドット目のライン位置に対応するフォントデータのアドレス７１４を出力する。
【００２３】
次に、フォントデータメモリ７１５が、アドレス７１４に対応したフォントデータ７１６を出力する。上記の例の場合は、フォント「Ａ」の上から３ドット目のライン位置のフォントデータ７１６をシリアル変換回路７２５に出力する。
【００２４】
次に、シリアル変換回路７２５が、フォントデータメモリ７１５からのフォントデータ７１６を、文字切替信号７２２が入力されたときに一括してシフトレジスタに読み込み、表示ドットクロック７０４が入力されるごとにデータをシフトさせて出力する。これにより、フォントデータを１ドット分ずつ、シリアルデータ７２６としてカラーテーブル７２７に出力することができる。
【００２５】
そして、カラーテーブル７２７が、フォントの一部を構成するドットに対しては、あらかじめ設定されている文字色のＲＧＢ信号７２８を出力し、そうでないドットに対しては、背景色のＲＧＢ信号７２８を出力する。
【００２６】
このようにして、この従来のオンスクリーンディスプレイ表示装置は、モニタなどの画面上にオンスクリーン表示を行っていた。
【特許文献１】特開２００３−２０８１４８号公報（図４）
【発明の開示】
【発明が解決しようとする課題】
【００２７】
しかしながら、上述した従来のオンスクリーンディスプレイ装置では、オンスクリーン表示される文字幅が一定でないために、各表示行の表示領域が一定にならず、表示行末が行ごとに不揃いになる。
【００２８】
すなわち、図１４の文字の表示例で示されるように、各表示行とも行頭の位置（水平表示開始位置１４０１）を揃えて同じ文字数分の表示をしても、行末の位置（１４０２〜１４０４）は各表示行ごとにばらばらで不揃いになる。これを回避するためには、行の長さが短い行の行末に空白文字を追加して全行の長さを揃える必要があった。このことから、表示文字コードの設定時に行の長さを考慮して必要な数の空白文字コードを設定しなければならないという課題と、空白文字を追加するために表示コードメモリの記憶領域を圧迫するという課題とが生じた。
【００２９】
本発明は、前記従来の課題を解決するもので、オンスクリーン表示する文字幅が行ごとに一定でない場合に、表示行の文字領域の長さ（ドット数）に合わせて空白文字を追加設定しなくても行末を任意の位置に揃えることができるオンスクリーンディスプレイ装置を提供することを目的とする。
【課題を解決するための手段】
【００３０】
本発明の請求項１に係るオンスクリーンディスプレイ装置は、垂直同期信号、水平同期信号、及び表示ドットクロックに基づいて、画面上の表示位置を示す表示位置情報を出力する表示位置出力手段と、画面上に表示する文字の表示コードと、該表示コードが示す文字にそれぞれ対応して設定された文字幅コードとを、画面上の表示位置に対応したアドレスごとに記憶する表示コード記憶手段と、前記表示位置情報と、画面上に表示する文字を切り替えるタイミングを示す文字切替信号とに基づいて、前記表示コード記憶手段のアドレスを発生する表示コードアドレス発生手段と、フォントデータを記憶するフォントデータ記憶手段と、前記表示コードアドレス発生手段が発生したアドレスに対応する表示コードを前記表示コード記憶手段から受け取り、前記表示コード、及び前記表示位置情報に基づいて前記フォントデータ記憶手段のアドレスを発生するフォントデータアドレス発生手段と、前記表示コードアドレス発生手段が発生したアドレスに対応する文字幅コードを前記表示コード記憶手段から受け取り、前記文字幅情報コードと前記表示ドットクロックとに基づいて前記文字切替信号を生成する文字切替信号生成手段と、文字を表示する行の背景枠である行背景の表示開始水平位置を示す行背景開始水平位置情報、及び前記行背景の表示終了水平位置を示す行背景終了水平位置情報を記憶する行背景水平位置記憶手段と、前記行背景水平位置記憶手段から受け取った行背景開始水平位置情報及び行背景終了水平位置情報と、前記表示位置出力手段から受け取った表示位置情報とから、行背景を表示する範囲を示す行背景範囲信号を発生する行背景範囲信号発生手段と、前記フォントデータアドレス発生手段が発生したアドレスに対応するフォントデータ、または、前記行背景範囲信号発生手段が発生した行背景範囲信号に対応して、予め設定された文字色の色信号、または、予め設定された行背景色の色信号を映像信号に重畳して出力するオンスクリーンディスプレイ出力手段と、を備えたことを特徴とする。
【００３１】
本発明の請求項２に係るオンスクリーンディスプレイ装置は、垂直同期信号、水平同期信号、及び表示ドットクロックに基づいて、画面上の表示位置を示す表示位置情報を出力する表示位置出力手段と、画面上に表示する文字の表示コードと、該表示コードが示す文字にそれぞれ対応して設定された文字幅コードとを、画面上の表示位置に対応したアドレスごとに記憶するとともに、文字を表示する行の行背景の表示開始水平位置を示す行背景開始水平位置コード及び前記行背景の表示終了水平位置を示す行背景終了水平位置コードを表示行ごとに記憶する表示コード記憶手段と、前記表示位置情報と、画面上に表示する文字を切り替えるタイミングを示す文字切替信号とに基づいて、前記表示コード記憶手段のアドレスを発生する表示コードアドレス発生手段と、フォントデータを記憶するフォントデータ記憶手段と、前記表示コードアドレス発生手段が発生したアドレスに対応する表示コードを前記表示コード記憶手段から受け取り、該表示コード、及び前記表示位置情報に基づいて前記フォントデータ記憶手段のアドレスを発生するフォントデータアドレス発生手段と、前記表示コードアドレス発生手段が発生したアドレスに対応する文字幅コードを前記表示コード記憶手段から受け取り、前記文字幅コードと前記表示ドットクロックとに基づいて前記文字切替信号を生成する文字切替信号生成手段と、前記表示コード記憶手段から受け取った行背景開始水平位置コード及び行背景終了水平位置コードと、前記表示位置出力手段から受け取った表示位置情報とから、行背景を表示する範囲を示す行背景範囲信号を発生する行背景範囲信号発生手段と、前記フォントデータアドレス発生手段が発生したアドレスに対応するフォントデータ、または、前記行背景範囲信号発生手段が発生した行背景範囲信号に対応して、予め設定された文字色の色信号、または、予め設定された行背景色の色信号を、映像信号に重畳して出力するオンスクリーンディスプレイ出力手段と、を備えたことを特徴とする。
【００３２】
本発明の請求項３に係るオンスクリーンディスプレイ装置は、請求項２に記載のオンスクリーンディスプレイ装置において、前記表示コード記憶手段は、さらに、前記行背景の色を示す行背景色コードを表示行ごとに記憶し、前記オンスクリーンディスプレイ出力手段は、前記フォントデータアドレス発生手段が発生したアドレスに対応するフォントデータ、または、前記行背景範囲信号発生手段が発生した行背景範囲信号に対応して、予め設定された文字色の色信号、または、前記表示コード記憶手段から受け取った行背景色コードが示す行背景色の色信号を、映像信号に重畳して出力することを特徴とする。
【００３３】
本発明の請求項４に係るオンスクリーンディスプレイ装置は、請求項２に記載のオンスクリーンディスプレイ装置において、前記表示コード記憶手段は、前記行背景開始水平位置コード、前記行背景終了水平位置コード及び前記行背景色コードを表示行ごとに２組以上記憶し、前記行背景範囲信号発生手段は、前記行背景水平位置記憶手段から受け取った２組以上の前記行背景開始水平位置コード及び前記行背景終了水平位置コードと、前記表示位置出力手段から受け取った表示位置情報とから、行背景を表示する範囲を示す２つ以上の行背景範囲信号を発生し、前記オンスクリーンディスプレイ出力手段は、前記フォントデータアドレス発生手段が発生したアドレスに対応するフォントデータ、または、前記行背景範囲信号発生手段が発生した２つ以上の行背景範囲信号に対応して、予め設定された文字色の色信号、または、前記表示コード記憶手段から受け取った２つ以上の行背景色コードのうちのいずれかが示す行背景色の色信号を、映像信号に重畳して出力することを特徴とする。
【００３４】
本発明の請求項５に係るオンスクリーンディスプレイ装置は、請求項２に記載のオンスクリーンディスプレイ装置において、前記表示コード記憶手段は、さらに、前記行背景の周囲４辺のうちの、いずれの辺に影を付けるかを示す第１の行背景影指定コードを表示行ごとに記憶し、前記表示位置出力手段から受け取った表示位置情報と、前記行背景範囲信号発生手段から受け取った行背景範囲信号と、前記表示コード記憶手段から受け取った行背景色情報及び第１の行背景影指定コードとに基づいて、行背景色を指定する行背景色指定信号、または、行背景の周囲４辺の色を行背景影色として指定する行背景影色指定信号を発生する行背景影色指定信号発生手段を備え、前記オンスクリーンディスプレイ出力手段は、前記フォントデータアドレス発生手段が発生したアドレスに対応するフォントデータ、または、前記行背景範囲信号発生手段が発生した行背景範囲信号に対応して、予め設定された文字色の色信号、前記行背景色指定信号が指定する行背景色の色信号、または、前記行背景影色指定信号が指定する行背景影色の色信号を、映像信号に重畳して出力することを特徴とする。
【００３５】
本発明の請求項６に係るオンスクリーンディスプレイ装置は、請求項５に記載のオンスクリーンディスプレイ装置において、前記表示コード記憶手段は、さらに、単数行からなる行背景に影を付けるか、複数行からなる行背景に影を付けるかを示す第２の行背景影指定コードを記憶し、前記行背景影色指定信号発生手段は、前記表示位置出力手段から受け取った表示位置情報と、前記行背景範囲信号発生手段から受け取った行背景範囲信号と、前記表示コード記憶手段から受け取った行背景色コード、第１の行背景影指定コード及び第２の行背景影指定コードとに基づいて、行背景色を指定する行背景色指定信号、または、単数行からなる行背景の周囲４辺の色もしくは複数行からなる行背景の周囲４辺の色を行背景影色として指定する行背景影色指定信号を発生することを特徴とする。
【発明の効果】
【００３６】
本発明に係るオンスクリーンディスプレイ装置によれば、文字を表示する行の背景枠である行背景の表示開始水平位置及び表示終了水平位置と、行背景の色とを設定して、画面上に行背景を表示するようにしたことから、各表示行の文字数や文字幅を調整して表示領域の長さを揃えなくても、設定した範囲の背景枠を表示でき、表示レイアウトの設定が容易になるという効果が得られる。
【００３７】
また、本発明に係るオンスクリーンディスプレイ装置によれば、文字を表示する行の背景枠である行背景の表示開始水平位置及び表示終了水平位置と、行背景の色と、行背景に付ける影とを設定することで、行背景を立体的に表示することができ、柔軟な表示レイアウトの設定が可能となる。
【００３８】
また、本発明に係るオンスクリーンディスプレイ装置によれば、各表示行の表示領域の長さを揃えるために、文字列の後方に余分な空白を追加する必要がないため、表示コード記憶手段の記憶容量を圧迫しないで済むという効果が得られる。
【発明を実施するための最良の形態】
【００３９】
以下本発明の実施の形態について、図面を参照しながら説明する。
（実施の形態１）
図１は、本発明の実施の形態１に係るオンスクリーンディスプレイ装置の構成を示すブロック図である。図１において、図７と同じ構成要素については同じ符号を用いる。本実施の形態１に係るオンスクリーンディスプレイ装置は、図７に示す従来のオンスクリーンディスプレイ装置に、行背景開始水平位置記憶回路１２９と、行背景終了水平位置記憶回路１３２と、行背景開始水平位置一致検出回路１３３と、行背景終了水平位置一致検出回路１３５と、行背景範囲信号発生回路１３７とをさらに備えることを特徴とする。
【００４０】
以上のように構成するオンスクリーンディスプレイ装置の動作について説明する。図７に示すオンスクリーンディスプレイ装置と同一構成要素の動作については説明を省略する。
【００４１】
行背景開始水平位置記憶回路１２９は、画面上に行ごとに表示する背景枠（行背景）の表示開始水平位置を示す行背景開始水平位置情報１３０を記憶する。そして、行背景開始水平位置情報１３０を行背景開始水平位置一致検出回路１３３に出力する。
【００４２】
行背景開始水平位置一致検出回路１３３は、表示位置出力回路７０１から受け取った水平表示位置情報７０５と、行背景開始水平位置記憶回路１２９から受け取った行背景開始水平位置情報１３０とを比較し、一致したときに行背景開始水平位置一致信号１３４を出力する。
【００４３】
行背景終了水平位置記憶回路１３２は、画面上に表示する行背景の表示終了水平位置を示す行背景終了水平位置情報１３１を記憶する。そして、該行背景終了水平位置情報１３１を行背景終了水平位置一致検出回路１３５に出力する。
【００４４】
行背景終了水平位置一致検出回路１３５は、表示位置出力回路７０１から受け取った水平表示位置情報７０５と、行背景終了水平位置記憶回路１３２から受け取った行背景終了水平位置情報１３１とを比較し、一致したときに行背景終了水平位置一致信号１３６を出力する。
【００４５】
行背景範囲信号発生回路１３７は、行背景開始水平位置一致検出回路１３３から受け取った行背景開始水平位置一致信号１３４と、行背景終了水平位置一致検出回路１３５から受け取った行背景終了水平位置一致信号１３６とに基づいて、行背景開始水平位置から行背景終了水平位置までの範囲を示す行背景範囲指定信号１３８をオンスクリーンディスプレイ出力部１３９に出力する。
【００４６】
オンスクリーンディスプレイ出力部１３９は、フォントデータ７１８、または、行背景範囲信号１３８に対応して、予め設定された文字色のＲＧＢ信号、または、予め設定された行背景色のＲＧＢ信号を映像信号に重畳して出力する。
【００４７】
以下、オンスクリーンディスプレイ出力部１３９の詳細について説明する。オンスクリーンディスプレイ出力部１３９内のカラーテーブル１２７は、シリアル変換回路７２５から受け取ったシリアルデータ７２６と、行背景範囲信号発生回路１３７から受け取った行背景範囲指定信号１３８とに基づいて、ＲＧＢ信号１２８を出力する。ここで、カラーテーブル１２７は、フォントの一部を構成するドットに対しては、あらかじめ設定されている文字色のＲＧＢ信号１２８を出力し、そうでないドットに対しては、行背景色のＲＧＢ信号１２８を出力するが、行背景範囲信号発生回路１３７が出力する行背景範囲指定信号１３８がアクティブな範囲では、フォントの一部を構成するドット以外のドットに対して、あらかじめ設定されている行背景色のＲＧＢ信号１２８を出力する。
【００４８】
以上のような動作により、例えば、図８に示すように、画面上に表示する文字の背景に、行背景開始水平位置８０５から行背景終了水平位置８０６までの範囲に、予め設定した行背景色を持つ背景枠を表示することができる。
【００４９】
以上のように実施の形態１に係るオンスクリーンディスプレイ装置は、文字を表示する行の背景枠である行背景の表示開始水平位置と行背景の表示終了水平位置と行背景色とを設定して、画面上に行背景枠を表示するようにした。これにより、各表示行の文字列の幅を合わせるために空白文字を追加することなく、一定の幅を持った行背景枠を表示することができる。
【００５０】
（実施の形態２）
図２は、本発明の実施の形態２に係るオンスクリーンディスプレイ装置の構成を示すブロック図である。図２において、図１、図７と同じ構成要素については同じ符号を用いる。
本実施の形態２に係るオンスクリーンディスプレイ装置は、図７に示す従来のオンスクリーンディスプレイ装置に、行背景開始水平位置一致検出回路１３３と、行背景終了水平位置一致検出回路１３５と、行背景範囲信号発生回路１３７とをさらに備えることを特徴とする。
【００５１】
以上のように構成するオンスクリーンディスプレイ装置の動作について説明する。図１、図７に示すオンスクリーンディスプレイ装置と同一構成要素の動作については説明を省略する。
【００５２】
表示コードメモリアドレス発生回路２０７は、水平表示位置情報７０５と、垂直表示位置情報７０６と、文字切替信号７２２と、水平表示開始位置信号７２４とに基づいて、表示コードメモリ２０９に格納されたコードに対応するアドレス２０８を発生する。
【００５３】
表示コードメモリ２０９は、画面上に表示する表示文字コードと、表示文字ごとの表示文字幅コードと、各表示行ごとの水平表示開始位置コードとに加えて、行背景の表示開始水平位置を示すコード（行背景開始水平位置コード）と行背景の表示終了水平位置を示すコード（行背景終了水平位置コード）とを記憶する。表示コードメモリ２０９内には、各表示行の先頭アドレスから順に、水平表示開始位置コード、行背景開始水平位置コード、行背景終了水平位置コードが格納されており、その後のアドレスに、文字列の表示文字コードと、表示文字幅コードとが続けて格納されている。
【００５４】
ここで、表示コードメモリアドレス発生回路２０７は、水平表示位置情報７０５により、水平方向の表示ドット位置が左端に戻ったこと（すなわち、ｍ＝１となったこと）を検知した場合には、表示コードメモリアドレス２０８をそのときのオンスクリーン表示されている文字行の最初のアドレスに戻す。表示コードメモリ２０９内の文字行の最初のアドレスにはその行の水平表示開始位置コードが格納されており、表示コードメモリ２０９は、該水平表示開始位置コードを水平表示期間内保持して水平表示開始位置コード７１２として水平表示位置一致検出回路７２３に出力する。その後、表示コードメモリアドレス発生回路２０７は、アドレス２０８を１つインクリメントして、その行の行背景開始水平位置コードが格納されているアドレスを出力する。表示コードメモリ２０９はそのアドレスに対応する行背景開始水平位置コードを水平表示期間内保持して行背景開始水平位置情報２３０として行背景開始水平位置一致検出回路１３３に出力する。その後、表示コードメモリアドレス発生回路２０７は、アドレス２０８を１つインクリメントして、その行の行背景終了水平位置コードが格納されているアドレスを出力し、表示コードメモリ２０９はそのアドレスに対応する行背景終了水平位置コードを水平表示期間内保持して行背景終了水平位置情報２３１として行背景終了水平位置一致検出回路１３５に出力する。以降、文字切替信号７２２が入力されるたびに、アドレス２０８を１つインクリメントする。これにより、表示コードメモリ２０９はアドレスに対応する表示文字コード７１０と表示文字幅コード７１１とを出力し、これにより、表示される文字が１つ分切り替えられることとなる。
【００５５】
以上のような動作により、例えば、図９に示すように、１行目から３行目の表示では行背景開始水平位置９０５〜９０７と行背景終了水平位置９０８〜９１０とを左方に設定し、４行目と５行目の表示では行背景開始水平位置９１４〜９１５と行背景終了水平位置９１６〜９１７とを右方に設定して、行によって枠の表示位置を変えることができる。
【００５６】
以上のように実施の形態２に係るオンスクリーンディスプレイ装置は、行背景の表示開始水平位置を示すコードと、行背景の表示終了水平位置を示すコードとを、各表示行ごとに表示コードメモリ２０９に設定し、各コードが示す水平位置に基づいて、画面上に表示する行背景の範囲を指定するようにした。これにより、表示行ごとに行背景開始水平位置と行背景終了水平位置とが個別に設定できるため、行によって背景枠の表示位置を変えることができ、柔軟な表示レイアウトの設定が可能となる。
【００５７】
（実施の形態３）
図３は、本発明の実施の形態３に係るオンスクリーンディスプレイ装置の構成を示すブロック図である。図３において、図１、図２、図７と同じ構成要素については同じ符号を用いる。
本実施の形態３に係るオンスクリーンディスプレイ装置は、本実施の形態２に係るオンスクリーンディスプレイ装置と、表示コードメモリとカラーテーブルの動作のみが異なる。
【００５８】
以下、本実施の形態３に係るオンスクリーンディスプレイ装置の動作について説明する。図１、図２、図７に示すオンスクリーンディスプレイ装置と同一構成要素の動作については説明を省略する。
【００５９】
表示コードメモリ３０９は、画面上に表示する表示文字コードと、表示文字ごとの表示文字幅コードと、各表示行ごとの水平表示開始位置コードと、各表示行ごとの行背景開始水平位置コードと、行背景終了水平位置コードと、行背景色指定コードとを記憶する。表示コードメモリ３０９内には、各表示行の先頭アドレスから順に、水平表示開始位置コード、行背景開始水平位置コード、行背景終了水平位置コードが格納されており、その後のアドレスに、文字列の表示文字コードと、表示文字幅コードとが続けて格納されている。
【００６０】
ここで、表示コードメモリ３０９内の、文字行の最初のアドレスにはその行の水平表示開始位置コードが格納されており、表示コードメモリ３０９は、該水平表示開始位置コードを水平表示期間内保持して水平表示開始位置コード７１２として水平表示位置一致検出回路７２３に出力する。その後、アドレス２０８が１つインクリメントされたとき、表示コードメモリ３０９は、インクリメントされたアドレスに対応する行背景開始水平位置コードを水平表示期間内保持して行背景開始水平位置情報２３０として行背景開始水平一致検出回路１３３に出力する。また、行背景開始水平位置コードには、行背景色指定コードが埋め込まれており、表示コードメモリ３０９は、その行背景色指定コードを水平表示期間内保持して行背景色指定情報３３９として出力する。その後、アドレス２０８が１つインクリメントされたとき、表示コードメモリ３０９は、インクリメントされたアドレスに対応する行背景終了水平位置コードを水平表示期間内保持して行背景終了水平位置情報２３１として行背景終了水平位置一致検出回路１３５に出力する。以降、文字切替信号７２２が入力されるたびに、アドレス２０８が１つずつインクリメントされ、これにより、表示コードメモリ３０９はインクリメントされたアドレスに対応する表示文字コード７１０と表示文字幅コード７１１とを出力し、これにより、表示される文字が１つ分切り替えられることとなる。
【００６１】
カラーテーブル３２７は、シリアル変換回路７２５から受け取ったシリアルデータ７２６と、行背景範囲信号発生回路１３７から受け取った行背景範囲指定信号１３８と、表示コードメモリ３０９から受け取った行背景色指定情報３３９とに基づいて、ＲＧＢ信号１２８を出力する。ここで、カラーテーブル３２７は、フォントの一部を構成するドットに対しては、あらかじめ設定されている文字色のＲＧＢ信号を出力し、そうでないドットに対しては、行背景色のＲＧＢ信号１２８を出力するが、行背景範囲指定信号１３８がアクティブな範囲では、フォントの一部を構成するドット以外のドットに対して、行背景色指定情報３３９が指定する行背景色のＲＧＢ信号１２８を出力する。
【００６２】
以上の動作により、図１０に示す表示画面において、１行目の行背景色１０１２、２行目の行背景色１０１３、３行目の行背景色１０１４、４行目の行背景色１０１５、及び５行目の行背景色１０１６をそれぞれ別の色として表示できる。
【００６３】
以上のように実施の形態３に係るオンスクリーンディスプレイ装置は、各表示行ごとに、行背景の表示開始水平位置を示すコードと、行背景の表示終了水平位置を示すコードと、行背景色を示すコードとを表示コードメモリ３０９に設定し、各コードが示す行背景水平位置と行背景色に基づいて、画面上に表示する行背景の範囲と色を指定するようにした。これにより、行ごとに背景色を個別に設定できるため、柔軟な表示レイアウトの設定が可能となる。
【００６４】
（実施の形態４）
図４は、本発明の実施の形態４によるオンスクリーンディスプレイ装置の構成を示すブロック図である。図４において、図１、図２、図７と同じ構成要素については同じ符号を用いる。本実施の形態４によるオンスクリーンディスプレイ装置は、行背景開始水平位置一致検出回路と、行背景終了水平位置一致検出回路と、行背景範囲信号発生回路とを、それぞれ２つ備える。以上のように構成するオンスクリーンディスプレイ装置の動作について説明する。図１、図２、図７に示すオンスクリーンディスプレイ装置と同一構成要素の動作については説明を省略する。
表示コードメモリアドレス発生回路４０７は、水平表示位置情報７０５と、垂直表示位置情報７０６と、文字切替信号７２２と、水平表示開始位置信号７２４とに基づいて、表示コードメモリ４０９に格納されているコードに対応するアドレス４０８を発生する。
【００６５】
表示コードメモリ４０９は、画面上に表示する文字の表示文字コードと、表示文字ごとの表示文字幅コードと、各表示行ごとの水平表示開始位置コードと、各表示行ごとの第１の行背景開始水平位置コード、第１の行背景終了水平位置コード、及び第１の行背景色指定コードと、各表示行ごとの第２の行背景開始水平位置コード、第２の行背景終了水平位置コード、及び第２の行背景色指定コードとを記憶する。この表示コードメモリ４０９内には、各表示行の先頭アドレスから順に、水平表示開始位置コード、第１の行背景開始水平位置コード、第１の行背景終了水平位置コード、第２の行背景開始水平位置コード、第２の行背景終了水平位置コードが格納されており、その後のアドレスに、文字列の表示文字コードと、表示文字幅コードが続けて格納されている。
【００６６】
ここで、表示コードメモリ４０９内の文字行の最初のアドレスにはその行の水平表示開始位置コードが格納されており、表示コードメモリ４０９は、該水平表示開始位置コードを水平表示期間内保持して水平表示開始位置コード７１２として出力する。その後、アドレス４０８が１つインクリメントされたとき、表示コードメモリ４０９はインクリメントされたアドレスに対応する第１の行背景開始水平位置コードを水平表示期間内保持して第１の行背景開始水平位置情報４３０として出力する。また、第１の行背景開始水平位置コードには、第１の行背景色指定コードが埋め込まれており、表示コードメモリ４０９は、その第１の行背景色指定コードを水平表示期間内保持して第１の行背景色指定情報４３９として出力する。その後、アドレス４０８が１つインクリメントされたとき、表示コードメモリ４０９はインクリメントされたアドレスに対応する第１の行背景終了水平位置コードを水平表示期間内保持して第１の行背景終了水平位置情報４３１として出力する。さらに、その後、アドレス４０８が１つインクリメントされると、表示コードメモリ４０９はインクリメントされたアドレスに対応する第２の行背景開始水平位置コードを水平表示期間内保持して第２の行背景開始水平位置情報４４０として出力する。また、第２の行背景開始水平位置コードには、第２の行背景色指定コードが埋め込まれており、表示コードメモリ４０９は、その第２の行背景色指定コードを水平表示期間内保持して第２の行背景色指定情報４４８として出力する。その後、アドレス４０８が１つインクリメントされたとき、表示コードメモリ４０９はインクリメントされたアドレスに対応する第２の行背景終了水平位置コードを水平表示期間内保持して第２の行背景終了水平位置情報４４１として出力する。以降、文字切替信号７２２が入力されるたびに、アドレス４０８が１つずつインクリメントされて、アドレスに対応する表示文字コード７１０と表示文字幅コード７１１とが、表示コードメモリ４０９から出力されるため、表示される文字が１つ分切り替えられることとなる。
【００６７】
第１の行背景開始水平位置一致検出回路４３３は、表示位置出力回路７０１から受け取った水平表示位置情報７０５と、表示コードメモリ４０９から受け取った第１の行背景開始水平位置情報４３０とを比較し、一致したときに行背景開始水平位置一致信号４３４を出力する。
【００６８】
第１の行背景終了水平位置一致検出回路４３５は、表示位置出力回路７０１から受け取った水平表示位置情報７０５と、表示コードメモリ４０９から受け取った第１の行背景終了水平位置情報４３１とを比較し、一致したときに行背景終了水平位置一致信号４３６を出力する。
【００６９】
第１の行背景範囲信号発生回路４３７は、第１の行背景開始水平位置一致検出回路４３３から受け取った第１の行背景開始水平位置一致信号４３４と、第１の行背景終了水平位置一致検出回路４３５から受け取った第１の行背景終了水平位置一致信号４３６とに基づいて、第１の行背景開始水平位置から第１の行背景終了水平位置までの範囲を示す第１の行背景範囲指定信号４３８をカラーテーブル４２７に出力する。
【００７０】
第２の行背景開始水平位置一致検出回路４４２は、表示位置出力回路７０１から受け取った水平表示位置情報７０５と、表示コードメモリ４０９から受け取った第２の行背景開始水平位置情報４４０とを比較し、一致したときに行背景開始水平位置一致信号４４４を出力する。
【００７１】
第２の行背景終了水平位置一致検出回路４４３は、表示位置出力回路７０１から受け取った水平表示位置情報７０５と、表示コードメモリ４０９から受け取った第２の行背景終了水平位置情報４４１とを比較し、一致したときに行背景終了水平位置一致信号４４５を出力する。
【００７２】
第２の行背景範囲信号発生回路４４６は、第２の行背景開始水平位置一致検出回路４４２から受け取った第２の行背景開始水平位置一致信号４４４と、第２の行背景終了水平位置一致検出回路４４３から受け取った第２の行背景終了水平位置一致信号４４５とに基づいて第２の行背景開始水平位置から第２の行背景終了水平位置までの範囲を示す第２の行背景範囲指定信号４４７をカラーテーブル４２７に出力する。
【００７３】
カラーテーブル４２７は、シリアル変換回路７２５から受け取ったシリアルデータ７２６と、第１の行背景範囲信号発生回路４３７から受け取った第１の行背景範囲指定信号４３８と、第２の行背景範囲信号発生回路４４６から受け取った第２の行背景範囲指定信号４４７と、表示コードメモリ４０９から受け取った第１の行背景色指定情報４３９と、表示コードメモリ４０９から受け取った第２の行背景色指定情報４４８とに基づいて、ＲＧＢ信号１２８を出力する。ここで、カラーテーブル４２７は、フォントの一部を構成するドットに対しては、あらかじめ設定されている文字色のＲＧＢ信号１２８を出力し、そうでないドットに対しては、行背景色のＲＧＢ信号を出力するが、第１の行背景範囲指定信号４３８がアクティブな範囲では、フォントの一部を構成するドット以外のドットに対して、第１の行背景色指定情報４３９が指定する行背景色のＲＧＢ信号１２８を出力する。また、第１の行背景範囲指定信号４３８がアクティブでなく、第２の行背景範囲指定信号４４７がアクティブな範囲では、フォントの一部を構成するドット以外のドットに対して、第２の行背景色指定情報４４８が指定する行背景色のＲＧＢ信号１２８を出力する。
【００７４】
以上の動作により、例えば、図１１に示すように、１行目から３行目の第１の行背景開始水平位置１１０５、第１の行背景終了水平位置１１０６、第２の行背景開始水平位置１１１７、第２の行背景終了水平位置１１１８の設定により、水平方向に２箇所に分かれた背景枠を表示できる。また、表示画面において、１行目の第１の行背景色１１１２、１行目の第２の行背景色１１１９、２行目の第１の行背景色１１１３、２行目の第２の行背景色１１２０、３行目の第１の行背景色１１１４、３行目の第２の行背景色１１２１をそれぞれ別の色として表示することもできる。
【００７５】
以上のように本実施の形態４に係るオンスクリーンディスプレイ装置は、各表示行ごとに、行背景の表示開始水平位置を示すコード、行背景の表示終了水平位置を示すコード、及び行背景色を示すコードを２組設定し、各コードが示す行背景水平位置と行背景色に基づいて、画面上に表示する行背景の範囲と色を指定するようにした。これにより、各表示行ごとに、２つの行背景範囲と２つの行背景色を設定できるため、柔軟な表示レイアウトの設定が可能となる。
【００７６】
なお、本実施の形態４においては、行背景開始水平位置、行背景終了水平位置、行背景色を、各表示行ごとに２組設定できる回路構成としたが、回路を追加して、各表示行ごとに２組以上設定できる構成としても良い。
【００７７】
（実施の形態５）
図５は、本発明の実施の形態５に係るオンスクリーンディスプレイ装置の構成を示すブロック図である。図５において、図１、図２、図７と同じ構成要素については同じ符号を用いる。本実施の形態５に係るオンスクリーンディスプレイ装置は、図２に示すオンスクリーンディスプレイ装置に、行背景影色指定信号生成回路５５０をさらに備えることを特徴とする。以上のように構成するオンスクリーンディスプレイ装置の動作について説明する。図１、図２、図７に示すオンスクリーンディスプレイ装置と同一構成要素の動作については説明を省略する。
【００７８】
表示コードメモリ５０９は、画面上に表示する文字の表示文字コードと、表示文字ごとの表示文字幅コードと、各表示行ごとの、水平表示開始位置コード、行背景開始水平位置コード、行背景終了水平位置コードと、行背景色指定コードと、及び第１の行背景影指定コードを記憶する。また、表示コードメモリ４０９内には、各表示行の先頭アドレスから順に、水平表示開始位置コード、行背景開始水平位置コード、行背景終了水平位置コードが格納されており、その後のアドレスに、文字列の表示文字コードと、表示文字幅コードとが続けて格納されている。
【００７９】
ここで、表示コードメモリ５０９内の文字行の最初のアドレスにはその行の水平表示開始位置コードが格納されており、表示コードメモリ５０９は、該水平表示開始位置コードを水平表示期間内保持して水平表示開始位置コード７１２として出力する。その後、アドレス２０８が１つインクリメントされたとき、表示コードメモリ５０９はインクリメントされたアドレスに対応する行背景開始水平位置コードを水平表示期間内保持して行背景開始水平位置情報２３０として出力する。また、行背景開始水平位置コードには、行背景影色指定コードと、行背景影指定コードとが埋め込まれており、表示コードメモリ５０９は、行背景影色指定コードを水平表示期間内保持して行背景色指定情報５３９として出力するとともに、第１の行背景影指定コードを水平表示期間内保持して行背景影指定情報５４９として出力する。その後、アドレス２０８が１つインクリメントされたとき、表示コードメモリ５０９はインクリメントされたアドレスに対応する行背景終了水平位置コードを水平表示期間内保持して行背景終了水平位置情報２３１として出力する。以降、文字切替信号７２２が入力されるたびに、アドレス２０８が１つずつインクリメントされ、インクリメントされたアドレスに対応する表示文字コード７１０と表示文字幅コード７１１とが表示コードメモリ５０９から出力されるため、表示される文字が１つ分切り替えられることとなる。
【００８０】
行背景影色指定信号生成回路５５０は、表示位置出力回路７０１から受け取った垂直表示位置情報７０６と、行背景開始水平位置一致検出回路１３３から受け取った行背景開始水平位置一致信号１３４と、行背景終了水平位置一致検出回路１３５から受け取った行背景終了水平位置一致信号１３６と、表示コードメモリ５０９から受け取った行背景色指定情報５３９と、表示コードメモリ５０９から受け取った行背景影指定情報５４９とに基づいて、行背景影色指定信号５５１を生成し、カラーテーブル５２７に出力する。
【００８１】
ここで、行背景影色指定信号生成回路５５０は、垂直表示位置情報７０６から表示行の一番上のドット位置と、表示行の一番下のドット位置を識別する。また、行背景開始水平位置一致信号１３４から表示行の行背景の左端位置を、行背景終了水平位置一致信号１３６から表示行の行背景の右端位置をそれぞれ識別する。そして、識別した各位置から行背景の周囲４辺の位置を示す内部信号を生成する。また、行背景影指定情報５４９は少なくとも３つの状態を持つ信号であり、行背景影なし、行背景影凸、行背景影凹の３種の設定を示す。行背景影指定情報５４９が、行背景影なしの場合、行背景色指定情報５３９をそのまま行背景影色指定信号５５１として出力する。一方、行背景影指定情報が行背景影凸のときは、行背景の周囲４辺の位置のうち上辺と左辺に対して、あらかじめ設定された背景影白色を指定する行背景影色指定信号５５１を出力し、行背景の周囲４辺の位置のうち右辺と下辺に対しては、あらかじめ設定された背景影黒色を指定する行背景影色指定信号５５１を出力し、行背景の周囲４辺の位置でないときは行背景色指定情報５３９をそのまま行背景影色指定信号５５１として出力する。また、行背景影指定情報５４９が行背景影凹の場合、行背景の周囲４辺の位置のうち上辺と左辺に対しては、あらかじめ設定された背景影黒色を指定する行背景影色指定信号５５１を出力し、行背景の周囲４辺の位置のうち右辺と下辺に対しては、あらかじめ設定された背景影白色を指定する行背景影色指定信号５５１を出力し、行背景の周囲４辺の位置でないときは行背景色指定情報５３９をそのまま行背景影色指定信号５５１として出力する。
【００８２】
カラーテーブル５２７は、シリアル変換回路７２５から受け取ったシリアルデータ７２６と、行背景範囲信号発生回路１３７から受け取った行背景範囲指定信号１３８と、行背景影色指定信号生成回路５５０から受け取った行背景影色指定信号５５１とに基づいて、ＲＧＢ信号１２８を出力する。
【００８３】
ここで、カラーテーブル５２７は、フォントの一部を構成するドットに対しては、あらかじめ設定されている文字色のＲＧＢ信号１２８を出力し、そうでないドットに対しては、行背景色のＲＧＢ信号１２８を出力するが、行背景範囲指定信号１３８がアクティブな範囲では、フォントの一部を構成するドット以外のドットに対して、行背景影色指定信号５５１が指定する行背景色のＲＧＢ信号１２８を出力する。
【００８４】
以上のような動作により、例えば、図１２に示すように、行背景に影を付けることができる。図１２に示す表示例は、１行目は行背景影凸の設定、２行目は行背景影なしの設定、３行目は行背景影凹の設定をした場合の例である。図１２に示すように、１行目では上辺と左辺に白い行背景影が表示され、右辺と下辺には黒い行背景影が表示されているため、１行目全体が立体的に浮き出ているように表示されている。また、３行目では右辺と下辺に白い行背景影が表示され、上辺と左辺には黒い行背景影が表示されているため、３行目全体が立体的にへこんでいるように表示されている。
【００８５】
以上のように本実施の形態５に係るオフスクリーンディスプレイ装置は、各表示行ごとに、行背景の表示開始水平位置を示すコードと、行背景の表示終了水平位置を示すコードと、行背景色を示すコードと、行背景に付ける影色を示すコードとを表示コードメモリ５０９に設定し、各コードが示す行背景水平位置、行背景色、及び行背景影色に基づいて、画面上に表示する行背景の範囲と色、行背景につける影を指定するようにした。これにより、行ごとに行背景に対して影を表示することができる。このように、行背景影の表示により、行ごとに立体的な表示が可能になり、柔軟な表示レイアウトの設定が可能となる。
【００８６】
（実施の形態６）
図６は、本発明の実施の形態６に係るオンスクリーンディスプレイ装置の構成を示すブロック図である。図６において、図１、図２、図５、図７と同じ構成要素については同じ符号を用いる。本実施の形態６に係るオンスクリーンディスプレイ装置は、実施の形態５に係るオンスクリーンディスプレイ装置と、表示コードメモリと行背景影色指定信号生成回路の動作のみが異なる。以下、本実施の形態６に係るオンスクリーンディスプレイ装置の動作について説明する。図１、図２、図５、図７に示すオンスクリーンディスプレイ装置と同一構成要素の動作については説明を省略する。
【００８７】
表示コードメモリ６０９は、画面上に表示する表示文字コードと、表示文字ごとの表示文字幅コードと、各表示行ごとの水平表示開始位置コードと、各表示行ごとの行背景開始水平位置コードと、各表示行ごとの行背景終了水平位置コードと、各表示行ごとの行背景色指定コードと、各表示行ごとの第１の行背景影指定コードと、各表示行ごとの第２の行背景影指定コードとを記憶する。この表示コードメモリ６０９内には、各表示行の先頭アドレスから順に、水平表示開始位置コード、行背景開始水平位置コード、行背景終了水平位置コードが格納されており、その後のアドレスに、文字列の表示文字コードと、表示文字幅コードが続けて格納されている。
【００８８】
ここで、表示コードメモリ６０９内の文字行の最初のアドレスにはその行の水平表示開始位置コードが格納されており、表示コードメモリ６０９は、該水平表示開始位置コードを水平表示期間内保持して水平表示開始位置コード７１２として出力する。その後、アドレス２０８が１つインクリメントされたとき、表示コードメモリ６０９はインクリメントされたアドレスに対応する行背景開始水平位置コードを水平表示期間内保持して行背景開始水平位置情報２３０として出力する。また、行背景開始水平位置コードには、行背景色指定コードと、第１の行背景影指定コードと、第２の行背景影指定コードとが埋め込まれており、表示コードメモリ６０９は、行背景色指定コードを水平表示期間内保持して行背景色指定情報５３９として出力し、第１の行背景影指定コードを水平表示期間内保持して行背景影指定情報５４９として出力し、第２の行背景影指定コードを水平表示期間内保持して行背景影上中下段指定情報６５２として出力する。その後、アドレス２０８が１つインクリメントされたとき、表示コードメモリ６０９はインクリメントされたアドレスに対応する行背景終了水平位置コードを水平表示期間内保持して行背景終了水平位置情報２３１として出力する。以降、文字切替信号７２２が入力されるたびに、アドレス２０８が１つずつインクリメントされ、インクリメントされたアドレスに対応する表示文字コード７１０と表示文字幅コード７１１とが表示コードメモリ６０９から出力されるため、表示される文字が１つ分切り替えられることとなる。
【００８９】
行背景影色指定信号生成回路６５０は、表示位置出力回路７０１から受け取った垂直表示位置情報７０６と、行背景開始水平位置一致検出回路１３３から受け取った行背景開始水平位置一致信号１３４と、行背景終了水平位置一致検出回路１３５から受け取った行背景終了水平位置一致信号１３６と、表示コードメモリ６０９から受け取った行背景色指定情報５３９と、表示コードメモリ６０９から受け取った行背景影指定情報５４９と、表示コードメモリ６０９から受け取った行背景影上中下段指定情報６５２とから、行背景影色指定信号５５１を生成して、カラーテーブル５２７に出力する。
【００９０】
ここで、行背景影色指定信号生成回路６５０は、垂直表示位置情報７０６から表示行の一番上のドット位置と、表示行の一番下のドット位置を識別する。また、行背景開始水平位置一致信号１３４から表示行の行背景の左端位置を、行背景終了水平位置一致信号１３６から表示行の行背景の右端位置をそれぞれ識別する。そして、識別した位置から行背景の周囲４辺の位置を示す内部信号を生成する。一方、行背景影指定情報５４９は少なくとも３つの状態を持つ信号であり、行背景影なし、行背景影凸、行背景影凹の３種の設定を示す。また、行背景影上中下段指定情報６５２は少なくとも４つの状態を持つ信号であり、行背景影単行、行背景影上段、行背景影中段、行背景影下段の４種の設定を示す。すなわち、この情報は、単行背景毎に背景影を付けるか、複数行からなる行背景に背景影を付けるかを示している。本実施の形態６では、３行からなる行背景に影を付ける場合について説明する。
【００９１】
以下に、行背景影上中下段指定情報６５２が行背景影単行である場合の行背景影色指定信号生成回路６５０の動作を示す。この場合、実施の形態５と同様に、行背景影指定情報５４９が、行背景影なしの場合は、行背景色指定情報５３９をそのまま行背景影色指定信号５５１として出力する。行背景影指定情報が、行背景影凸の場合は、行背景の周囲４辺の位置のうち上辺と左辺に対して、あらかじめ設定された背景影白色を指定する行背景影色指定信号５５１を出力し、行背景の周囲４辺の位置のうち右辺と下辺に対しては、あらかじめ設定された背景影黒色を指定する行背景影色指定信号５５１を出力し、行背景の周囲４辺の位置でないときは行背景色指定情報５３９をそのまま行背景影色指定信号５５１として出力する。また、行背景影指定情報５４９が、行背景影凹の場合は、行背景の周囲４辺の位置のうち上辺と左辺に対しては、あらかじめ設定された背景影黒色を指定する行背景影色指定信号５５１を出力し、行背景の周囲４辺の位置のうち右辺と下辺に対しては、あらかじめ設定された背景影白色を指定する行背景影色指定信号５５１を出力し、行背景の周囲４辺の位置でないときは行背景色指定情報５３９をそのまま行背景影色指定信号５５１として出力する。
【００９２】
次に、行背景影上中下段指定情報６５２が行背景影上段である場合の行背景影色指定信号生成回路６５０の動作を示す。行背景影指定情報が、行背景影なしの場合は、行背景色指定情報５３９をそのまま行背景影色指定信号５５１として出力する。行背景影指定情報５４９が、行背景影凸の場合は、行背景の周囲４辺の位置のうち上辺と左辺に対しては、あらかじめ設定された背景影白色を指定する行背景影色指定信号５５１を出力し、行背景の周囲４辺の位置のうち右辺に対しては、あらかじめ設定された背景影黒色を指定する行背景影色指定信号５５１を出力し、行背景の周囲４辺の位置のうち下辺に対して、または、周囲４辺の位置でないときは行背景色指定情報５３９をそのまま行背景影色指定信号５５１として出力する。また、行背景影指定情報５４９が、行背景影凹の場合は、行背景の周囲４辺の位置のうち上辺と左辺に対しては、あらかじめ設定された背景影黒色を指定する行背景影色指定信号５５１を出力し、行背景の周囲４辺の位置のうち右辺に対しては、あらかじめ設定された背景影白色を指定する行背景影色指定信号５５１を出力し、行背景の周囲４辺の位置のうち下辺に対して、または、周囲４辺の位置でないときは行背景色指定情報５３９をそのまま行背景影色指定信号５５１として出力する。
【００９３】
次に、行背景影上中下段指定情報６５２が行背景影中段である場合の行背景影色指定信号生成回路６５０の動作を示す。行背景影指定情報が、行背景影なしの場合は、行背景色指定情報５３９をそのまま行背景影色指定信号５５１として出力する。行背景影指定情報５４９が、行背景影凸の場合は、行背景の周囲４辺の位置のうち左辺に対しては、あらかじめ設定された背景影白色を指定する行背景影色指定信号５５１を出力し、行背景の周囲４辺の位置のうち右辺に対しては、あらかじめ設定された背景影黒色を指定する行背景影色指定信号５５１を出力し、行背景の周囲４辺の位置のうち上辺または下辺に対して、または、周囲４辺の位置でないときは行背景色指定情報５３９をそのまま行背景影色指定信号５５１として出力する。また、行背景影指定情報５４９が、行背景影凹の場合は、行背景の周囲４辺の位置のうち左辺に対しては、あらかじめ設定された背景影黒色を指定する行背景影色指定信号５５１を出力し、行背景の周囲４辺の位置のうち右辺に対しては、あらかじめ設定された背景影白色を指定する行背景影色指定信号５５１を出力し、行背景の周囲４辺の位置のうち上辺または下辺に対して、または、周囲４辺の位置でないときは行背景色指定情報５３９をそのまま行背景影色指定信号５５１として出力する。
【００９４】
最後に行背景影上中下段指定情報６５２が行背景影下段である場合の行背景影色指定信号生成回路６５０の動作を示す。行背景影指定情報５４９が、行背景影なしの場合は、行背景色指定情報５３９をそのまま行背景影色指定信号５５１として出力する。行背景影指定情報５４９が、行背景影凸の場合は、行背景の周囲４辺の位置のうちの左辺に対しては、あらかじめ設定された背景影白色を指定する行背景影色指定信号５５１を出力し、行背景の周囲４辺の位置のうち下辺または右辺に対しては、あかじめ設定された背景影黒色を指定する行背景影色指定信号５５１を出力し、行背景の周囲４辺の位置のうち上辺に対して、または、周囲４辺の位置でないときは行背景色指定情報５３９をそのまま行背景影色指定信号５５１として出力する。また、行背景影指定情報５４９が、行背景影凹の場合は、行背景の周囲４辺の位置のうち左辺に対しては、あらかじめ設定された背景影黒色を指定する行背景影色指定信号５５１を出力し、行背景の周囲４辺の位置のうち下辺または右辺に対しては、あらかじめ設定された背景影白色を指定する行背景影色指定信号５５１を出力し、行背景の周囲４辺の位置のうち上辺に対して、または、周囲４辺の位置でないときは行背景色指定情報５３９をそのまま行背景影色指定信号５５１として出力する。
【００９５】
以上のような動作により、複数行からなる行背景に影を付けることができる。例えば、図１３に示す表示例は、３行とも行背景影凸に設定した上で、１行目は行背景影上段の設定、２行目は行背景影中段の設定、３行目は行背景影下段の設定をした場合の表示例である。図１３で示されるように、１行目では上辺１３３０と左辺１３３１に白い行背景影、右辺１３３４には黒い行背景影が表示され、２行目では左辺１３３２に白い行背景影、右辺１３３５には黒い行背景影が表示され、３行目では左辺１３３３に白い行背景影、右辺１３３６と下辺１３３７に黒い行背景影が表示されているため、１行目から３行目までの３行分の枠全体が立体的に浮出ているように表示されている。
【００９６】
以上のように実施の形態６に係るオフスクリーンディスプレイ装置は、各表示行ごとに、行背景の表示開始水平位置を示すコードと、行背景の表示終了水平位置を示すコードと、行背景色を示すコードと、行背景に付ける影色を示すコードと、行背景影を複数行にわたって付けるかを示すコードとを表示コードメモリ５０９に設定し、各コードが示す行背景水平位置と行背景色、行背景影色、行背景影の表示位置に基づいて、画面上に表示する行背景の範囲と色、行背景につける影の色と位置とを指定するようにした。これにより、複数行にわたる行背景に影を表示することができる。このように、行背景影の上中下段設定表示により、複数行にわたる枠全体を立体的に表示することができ、柔軟な表示レイアウトの設定が可能となる。
【００９７】
なお、本実施の形態６では、３行からなる行背景に影をつける場合について説明したが、本発明はこれに限るものではなく、複数行からなる行背景に影を付ける構成としても良い。
【産業上の利用可能性】
【００９８】
本発明にかかるオンスクリーンディスプレイ装置は、文字表示の背景枠を容易に設定できる回路を有し、テレビやモニタ画面上にメニュー表示を行うオンスクリーンディスプレイ等として有用である。
【図面の簡単な説明】
【００９９】
【図１】本発明の実施の形態１に係るオンスクリーンディスプレイ装置の構成を示すブロック図である。
【図２】本発明の実施の形態２に係るオンスクリーンディスプレイ装置の構成を示すブロック図である。
【図３】本発明の実施の形態３に係るオンスクリーンディスプレイ装置の構成を示すブロック図である。
【図４】本発明の実施の形態４に係るオンスクリーンディスプレイ装置の構成を示すブロック図である。
【図５】本発明の実施の形態５に係るオンスクリーンディスプレイ装置の構成を示すブロック図である。
【図６】本発明の実施の形態６に係るオンスクリーンディスプレイ装置の構成を示すブロック図である。
【図７】従来のオンスクリーンディスプレイ装置の構成を示すブロック図である。
【図８】本発明の実施の形態１に係るオンスクリーンディスプレイ装置の表示例を示す図である。
【図９】本発明の実施の形態２に係るオンスクリーンディスプレイ装置の表示例を示す図である。
【図１０】本発明の実施の形態３に係るオンスクリーンディスプレイ装置の表示例を示す図である。
【図１１】本発明の実施の形態４に係るオンスクリーンディスプレイ装置の表示例を示す図である。
【図１２】本発明の実施の形態５に係るオンスクリーンディスプレイ装置の表示例を示す図である。
【図１３】本発明の実施の形態６に係るオンスクリーンディスプレイ装置の表示例を示す図である。
【図１４】従来のオンスクリーンディスプレイ装置の表示例を示す図である。
【符号の説明】
【０１００】
１２７  カラーテーブル
１２８  ＲＧＢ信号
１２９  行背景開始水平位置記憶回路
１３０  行背景開始水平位置情報
１３１  行背景終了水平位置情報
１３２  行背景終了水平位置記憶回路
１３３  行背景開始水平位置一致検出回路
１３４  行背景開始水平位置一致信号
１３５  行背景終了水平位置一致検出回路
１３６  行背景終了水平位置一致信号
１３７  行背景範囲指定信号生成回路
１３８  行背景範囲指定信号
１３９  ７２９  オンスクリーンディスプレイ出力部
２０７  表示コードメモリアドレス発生回路
２０８  表示コードメモリアドレス
２０９  表示コードメモリ
２３０  行背景開始水平位置情報
２３２  行背景終了水平位置情報
３０９  表示コードメモリ
３２７  カラーテーブル
３３９  行背景色指定情報
４０７  表示コードメモリアドレス発生回路
４０８  表示コードメモリアドレス
４０９  表示コードメモリ
４２７  カラーテーブル
４３０  第１の行背景終了水平位置情報
４３３  第１の行背景開始水平位置一致検出回路
４３４  第１の行背景開始水平位置一致信号
４３５  第１の行背景終了水平位置一致検出回路
４３６  第１の行背景終了水平位置一致信号
４３７  第１の行背景範囲指定信号生成回路
４３８  第１の行背景範囲指定信号
４３９  第１の行背景色指定情報
４４０  第２の行背景開始水平位置情報
４４１  第２の行背景終了水平位置情報
４４２  第２の行背景開始水平位置一致検出回路
４４３  第２の行背景終了水平位置一致検出回路
４４４  第２の行背景開始水平位置一致信号
４４５  第２の行背景終了水平位置一致信号
４４６  第２の行背景範囲指定信号生成回路
４４７  第２の行背景範囲指定信号
４４８  第２の背景色指定情報
５０９  表示コードメモリ
５２７  カラーテーブル
５３９  行背景色指定情報
５４９  行背景影指定情報
５５０  行背景影色指定信号生成回路
５５１  行背景影色指定信号
６０９  表示コードメモリ
６４９  行背景影指定情報
６５０  行背景影色指定信号生成回路
６５２  行背景影上中下段指定情報
７０１  表示位置出力回路
７０２  垂直同期信号
７０３  水平同期信号
７０４  表示ドットクロック
７０５  水平表示位置情報
７０６  垂直表示位置情報
７０７  表示コードメモリアドレス発生回路
７０８  表示コードメモリアドレス
７０９  表示コードメモリ
７１０  表示文字コード
７１１  表示文字幅コード
７１２  水平表示開始位置コード
７１３  フォントデータメモリアドレス発生回路
７１４  フォントデータメモリアドレス
７１５  フォントデータメモリ
７１６  フォントデータ
７１７  文字幅カウンタ
７１８  文字幅カウント値
７１９  文字幅コード変換回路
７２０  文字幅データ
７２１  文字幅一致検出回路
７２２  文字切替信号
７２３  水平表示位置一致検出回路
７２４  水平表示開始位置信号
７２５  シリアル変換回路
７２６  シリアルデータ
７２７  カラーテーブル
７２８  ＲＧＢ出力
８０５  行背景開始水平位置
８０６  行背景終了水平位置
９０１  １行目から３行目までの水平表示開始位置
９０２  １行目の行末位置
９０３  ２行目の行末位置
９０４  ３行目の行末位置
９０５  １行目の行背景開始水平位置
９０６  ２行目の行背景開始水平位置
９０７  ３行目の行背景開始水平位置
９０８  １行目の行背景終了水平位置
９０９  ２行目の行背景終了水平位置
９１０  ３行目の行背景終了水平位置
９１１  ４行目と５行目の水平表示開始位置
９１２  ４行目の行末位置
９１３  ５行目の行末位置
９１４  ４行目の行背景開始水平位置
９１５  ５行目の行背景開始水平位置
９１６  ４行目の行背景終了水平位置
９１７  ５行目の行背景終了水平位置
１０１２  １行目の行背景色
１０１３  ２行目の行背景色
１０１４  ３行目の行背景色
１０１５  ４行目の行背景色
１０１６  ５行目の行背景色
１１０１  １行目から３行目までの水平表示開始位置
１１０５  １行目から３行目までの第１の行背景開始水平位置
１１０６  １行目から３行目までの第１の行背景終了水平位置
１１１２  １行目の第１の行背景色
１１１３  ２行目の第１の行背景色
１１１４  ３行目の第１の背景色
１１１７  １行目から３行目までの第２の背景開始水平位置
１１１８  １行目から３行目までの第２の背景終了水平位置
１１１９  １行目の第２の行背景色
１１２０  ２行目の第２の行背景色
１１２１  ３行目の第２の行背景色
１２２２  １行目の行背景影色（上辺）
１２２３  １行目の行背景影色（左辺）
１２２４  １行目の行背景影色（右辺）
１２２５  １行目の行背景影色（下辺）
１２２６  ３行目の行背景影色（上辺）
１２２７  ３行目の行背景影色（左辺）
１２２８  ３行目の行背景影色（右辺）
１２２９  ３行目の行背景影色（下辺）
１３３０  １行目の行背景影色（上辺）
１３３１  １行目の行背景影色（左辺）
１３３２  ２行目の行背景影色（左辺）
１３３３  ３行目の行背景影色（左辺）
１３３４  １行目の行背景影色（右辺）
１３３５  ２行目の行背景影色（右辺）
１３３６  ３行目の行背景影色（右辺）
１３３７  ３行目の行背景影色（右辺）
１４０１  水平表示開始位置
１４０２  １行目の行末位置
１４０３  ２行目の行末位置
１４０４  ３行目の行末位置
【図１】
2005121894.tif 000003
【図２】
2005121894.tif 000004
【図３】
2005121894.tif 000005
【図４】
2005121894.tif 000006
【図５】
2005121894.tif 000007
【図６】
2005121894.tif 000008
【図７】
2005121894.tif 000009
【図８】
2005121894.tif 000010
【図９】
2005121894.tif 000011
【図１０】
2005121894.tif 000012
【図１１】
2005121894.tif 000013
【図１２】
2005121894.tif 000014
【図１３】
2005121894.tif 000015
【図１４】
2005121894.tif 000016